(57)【要約】      （修正有）【課題】折り畳む、又は使用状態にすることを容易かつ確実に行うことができる折り畳みベッドを提供する。【解決手段】前側フレーム３と後側フレーム４とを、折り畳んだ閉状態と、広げた開状態とに、切り替え可能に構成された折り畳みベッドであって、切り替えを補助する開閉補助機構を備え、開閉補助機構は、中央フレームと横脚とを連結する縦軸１６と、縦軸１６にスライド可能に遊嵌されるリング１７と、縦軸１６に遊嵌され中央フレーム２に一端部が接続されかつ他端部がリング１７に接続されてリング１７を中央フレーム側から横脚側へ向けて付勢する弾性体２２と、リング１７と前側フレーム３とを連結する前側リンク２０と、リング１７と後側フレーム４とを連結する後側リンク２１とを有する。【選択図】図５
0003196648.tif 000002
【実用新案登録請求の範囲】
【請求項１】
前側フレーム及び後側フレームが前後方向略中央部で揺動自在に連結されることにより、該前側フレームと該後側フレームとを折り畳んだ閉状態と該前側フレームと該後側フレームとを広げた開状態とに切り替え可能に構成された折り畳みベッドであって、
前後方向略中央部に配置され前記前側フレーム及び前記後側フレームが揺動自在に取り付けられる中央フレームと、該中央フレームの下方に対向して設けられ左右幅方向に延びる横脚を有する脚部と、前記閉状態と前記開状態との切り替えを補助する開閉補助機構とを備え、
前記開閉補助機構は、前記中央フレームと前記横脚とを連結する縦軸と、該縦軸にスライド可能に遊嵌されるリングと、前記縦軸に遊嵌され前記中央フレームに一端部が接続されかつ他端部が前記リングに接続されて該リングを前記中央フレーム側から前記横脚側へ向けて付勢する弾性体と、前記リングと前記前側フレームとを連結する前側リンクと、前記リングと前記後側フレームとを連結する後側リンクとを有することを特徴とする折り畳みベッド。
【請求項２】
前記脚部は、前記中央フレームと前記横脚とを連結する縦脚を備え、前記縦軸は、前記縦脚よりも左右幅方向における内側に設けられていることを特徴とする請求項１に記載の折り畳みベッド。
【請求項３】
前記前側フレームは、前記中央フレームの両端部に左右幅方向の軸芯回りで揺動自在に両端が連結されるＵ字状の前側外枠フレームと、該前側外枠フレームの左右側部を左右幅方向で連結する左右幅方向に沿った前側横フレームとを備え、前記後側フレームは、前記中央フレームの両端部に左右幅方向の軸芯回りで揺動自在に両端が連結されるＵ字状の後側外枠フレームと、該後側外枠フレームの左右側部を左右幅方向で連結する左右幅方向に沿った後側横フレームとを備え、前記前側リンクの一端部は、前記前側横フレームの前面側に連結され、前記後側リンクの一端部は、前記後側横フレームの後面に連結され、前記リングには、前記前側リンクの他端部及び前記後側リンクの他端部を連結すべく前後方向に突出する前側フランジ及び後側フランジが設けられ、前記前側横フレームの上下方向の厚みと前記前側リンクの幅と前記前側フランジの前側への突出量とが略同一に設定され、かつ、前記後側横フレームの上下方向の厚みと前記後側リンクの幅と前記後側フランジの後側への突出量とが略同一に設定されていることを特徴とする請求項１又は２に記載の折り畳みベッド。
【考案の詳細な説明】
【技術分野】
【０００１】
本考案は、折り畳み可能に構成された折り畳みベッドに関する。
【背景技術】
【０００２】
従来から、折り畳みベッドとして様々な構成のものが提案されている。例えば、前側のベッドフレームの後端に設けられたブラケットと後側のベッドフレームの前端に設けられたブラケットとが左右方向に沿った連結軸で連結され、その連結軸の下方に外筒が垂設され、その外筒内に内筒が軸方向に摺動自在に内嵌され、内筒を外筒の外部（下方）へ押し出す側へ付勢するスプリングを外筒内に備え、内筒と前側のベッドフレームとが第１リンクで連結され、かつ、内筒と後側のベッドフレームとが第２リンクで連結されて、折り畳みベッドが構成されている（例えば、特許文献１参照）。
【０００３】
上記折り畳みベッドを折り畳む際には、ブラケットの連結軸付近を上方に持ち上げることによって、スプリングの付勢力により内筒が外筒から下方へ押し出される。これに伴って、前側のベッドフレームの前端と後側のベッドフレームの後端とが接近するように両ベッドフレームが揺動する。両ベッドフレームの揺動により、前側のベッドフレームと後側のベッドフレームとを折り畳むことができる。また、折り畳まれた折り畳みベッドを使用状態にする際には、折り畳み状態の前側のベッドフレームの前端と後側のベッドフレームの後端とが互いに離れる側へ移動するように前後のベッドフレームを揺動操作する。これによって、内筒が外筒内に入り込んで前側のベッドフレームと後側のベッドフレームとが水平となる使用状態にすることができる。
【先行技術文献】
【特許文献】
【０００４】
【特許文献１】特開平１０−１１７８８８号公報（図１、図２参照）
【考案の概要】
【考案が解決しようとする課題】
【０００５】
特許文献１の構成では、折り畳みベッドを折り畳む、又は使用状態にする際に、外筒に対して内筒が出入りすることになる。しかし、製作誤差等により外筒に対して内筒が軸ずれしていると、外筒内を内筒が出入りする際に、外筒内の途中で内筒が引っ掛かってしまう。このため、外筒内に内筒を入り込ませる、あるいは外筒から内筒を出すことがスムーズに行えない。その結果、折り畳みベッドを折り畳む、又は使用状態にすることを容易かつ確実に行うことができない不都合があった。
【０００６】
そこで、本考案は、かかる事情に鑑みてなされたもので、折り畳む、又は使用状態にすることを容易かつ確実に行うことができる折り畳みベッドを提供することを課題とする。
【課題を解決するための手段】
【０００７】
本考案に係る折り畳みベッドは、前側フレーム及び後側フレームが前後方向略中央部で揺動自在に連結されることにより、該前側フレームと該後側フレームとを折り畳んだ閉状態と該前側フレームと該後側フレームとを広げた開状態とに切り替え可能に構成された折り畳みベッドであって、前後方向略中央部に配置され前記前側フレーム及び前記後側フレームが揺動自在に取り付けられる中央フレームと、該中央フレームの下方に対向して設けられ左右幅方向に延びる横脚を有する脚部と、前記閉状態と前記開状態との切り替えを補助する開閉補助機構とを備え、前記開閉補助機構は、前記中央フレームと前記横脚とを連結する縦軸と、該縦軸にスライド可能に遊嵌されるリングと、前記縦軸に遊嵌され前記中央フレームに一端部が接続されかつ他端部が前記リングに接続されて該リングを前記中央フレーム側から前記横脚側へ向けて付勢する弾性体と、前記リングと前記前側フレームとを連結する前側リンクと、前記リングと前記後側フレームとを連結する後側リンクとを有することを特徴としている。
【０００８】
本考案によれば、開閉補助機構が、上端が中央フレームに固定され下端が横脚に固定された縦軸に対してリングをスライドさせる構成であるので、軸ずれすることなくリングが縦軸に対してスムーズにスライドする。よって、折り畳みベッドを、容易かつ確実に折り畳んだり、使用状態にすることができる。
【０００９】
また、本考案に係る折り畳みベッドは、前記脚部が、前記中央フレームと前記横脚とを連結する縦脚を備え、前記縦軸は、前記縦脚よりも左右幅方向における内側に設けられていることが好ましい。
【００１０】
上記のように、縦軸が、前記縦脚よりも左右幅方向における内側に設けられているので、折り畳み時に、揺動される前側リンクと縦軸との間及び後側リンクと縦軸との間に指を詰めることを縦脚により防止できる。
【００１１】
また、本考案に係る折り畳みベッドは、前記前側フレームは、前記中央フレームの両端部に左右幅方向の軸芯回りで揺動自在に両端が連結されるＵ字状の前側外枠フレームと、該前側外枠フレームの左右側部を左右幅方向で連結する左右幅方向に沿った前側横フレームとを備え、前記後側フレームは、前記中央フレームの両端部に左右幅方向の軸芯回りで揺動自在に両端が連結されるＵ字状の後側外枠フレームと、該後側外枠フレームの左右側部を左右幅方向で連結する左右幅方向に沿った後側横フレームとを備え、前記前側リンクの一端部は、前記前側横フレームの前面側に連結され、前記後側リンクの一端部は、前記後側横フレームの後面に連結され、前記リングには、前記前側リンクの他端部及び前記後側リンクの他端部を連結すべく前後方向に突出する前側フランジ及び後側フランジが設けられ、前記前側横フレームの上下方向の厚みと前記前側リンクの幅と前記前側フランジの前側への突出量とが略同一に設定され、かつ、前記後側横フレームの上下方向の厚みと前記後側リンクの幅と前記後側フランジの後側への突出量とが略同一に設定されていることが好ましい。
【００１２】
上記のように、前側横フレームの上下方向の厚みと前側リンクの幅と前側フランジの前側への突出量とが略同一に設定されているので、折り畳みベッドを折り畳んだ状態において、前側横フレームと前側リンクと前側フランジとが略同一幅で上下方向に並ぶことができ、しかも、後側横フレームの上下方向の厚みと後側リンクの幅と後側フランジの後側への突出量とが略同一に設定されているので、後側横フレームと後側リンクと後側フランジとが略同一幅で上下方向に並ぶことができる。よって、折り畳みベッドをコンパクトに折り畳むことができる。
【考案の効果】
【００１３】
以上の如く、本考案によれば、開閉補助機構を備えることによって、折り畳む、又は使用状態にすることを容易かつ確実に行うことができる折り畳みベッドを提供することができる。
【図面の簡単な説明】
【００１４】
【図１】本考案に係る折り畳みベッドの側面図である。
【図２】本考案に係る折り畳みベッドの平面図である。
【図３】本考案に係る折り畳みベッドの正面図である。
【図４】本考案に係る折り畳みベッドの底面図である。
【図５】本考案に係る折り畳みベッドを横倒しにして底面側から見た斜視図である。
【図６】図４におけるＡ−Ａ線断面図である。
【図７】図６におけるＢ−Ｂ線断面図である。
【図８】（ａ）は後側フレームと後側リンクとの取付部を示す要部の平面図、（ｂ）は図８におけるＣ−Ｃ線断面図である。
【図９】中央フレームに対して前側フレーム及び後側フレームを折り畳んだ状態を示す要部の断面図である。
【考案を実施するための形態】
【００１５】
以下、本考案に係る折り畳みベッドの一実施形態について、図面に基づいて説明する。
【００１６】
図１〜図５には、折り畳みベッド１が示されている。折り畳みベッド１は、前後方向略中央部に位置する左右幅方向に沿った中央フレーム２と、中央フレーム２の前側及び後側に揺動自在に連結される前側フレーム３及び後側フレーム４とを主要構成部材として備えている。前側フレーム３及び後側フレーム４が揺動自在に連結されることによって、前側フレーム３と後側フレーム４とを折り畳んだ閉状態と前側フレーム３と後側フレーム４とを広げた開状態とに切り替え可能に構成されている。
【００１７】
中央フレーム２は、内部が中空の金属製の角パイプからなっている。また、中央フレーム２の直下方には、左右幅方向に延びる横脚５を有する脚部６を備えている。脚部６は、横脚５の他に、中央フレーム２の両端から下方へ垂下する左右の縦脚７，７を備えている。これら縦脚７，７と横脚５とが、金属製の一本の丸パイプを折り曲げることによって、前後方向視において略Ｕ字状に形成されている。横脚５は、ベッド上に重量が加わっていない時には、床Ｆから浮いた状態（非接地状態、図１参照）となっているが、例えばベッドに人が寝た場合にベッド上に重量が加わることで脚部６が下がって、横脚５が床Ｆに接地してベッド上に加わる荷重の一部を脚部６で支持することができるようになっている。各縦脚７の上端部の外側面には、略コの字状の取っ手７Ａが左右幅方向外側に突出する状態で取り付けられている。この取っ手７Ａを持って折り畳みベッド１を折り畳んだり、使用する状態にすることが可能である。
【００１８】
前側フレーム３は、図１及び図４に示すように、中央フレーム２（図５参照）の両端に固定された左右のブラケット８，８の前側に左右幅方向の軸芯Ｘ１回りで揺動自在に両端が連結されるＵ字状の前側外枠フレーム９と、前側外枠フレーム９の後側で前側外枠フレーム９の左右側部を左右幅方向で連結する左右幅方向に沿った前側横フレーム１０と、前側横フレーム１０の左右幅方向略中央部と前側外枠フレーム９の前端部の左右方向略中央部とを連結する前後方向に沿った前側前後フレーム１１とを備えるとともに、これらフレーム９〜１１の上面に前側マットＭ１を備えている。
【００１９】
後側フレーム４は、中央フレーム２の両端に固定された左右のブラケット８，８の後側に左右幅方向の軸芯Ｘ２回りで揺動自在に連結されるＵ字状の後側外枠フレーム１２と、後側外枠フレーム１２の前側で後側外枠フレーム１２の左右側部を左右幅方向で連結する左右幅方向に沿った第１後側横フレーム１３と、後側外枠フレーム１２の後側で後側外枠フレーム１２の左右側部を左右幅方向で連結する左右幅方向に沿った第２後側横フレーム１４と、第１後側横フレーム１３の左右幅方向略中央部と第２後側横フレーム１４の左右幅方向略中央部とを連結する前後方向に沿った後側前後フレーム１５とを備えるとともに、これらフレーム１３〜１６の上面に後側マットＭ２を備えている。
【００２０】
図５に示すように、中央フレーム２と横脚５とを連結する左右一対の縦軸１６，１６が、縦脚７，７よりも内側に設けられている。具体的には、各縦軸１６の両端が、縦脚７，７よりも内側において、中央フレーム２の下面と横脚５の上面とに溶接により連結されている。また、各縦軸１６は、内部中空の円形で金属製のパイプから構成されている。前記のように縦軸１６，１６が、縦脚７，７よりも内側に設けられているので、折り畳み時（図６の状態から図９の状態になる時）に揺動される前側リンク２０と縦軸１６との間及び後側リンク２１と縦軸１６との間に指を詰めることを縦脚７，７により防止できる。
【００２１】
また、図６及び図７に示すように、各縦軸１６には、リング１７がスライド可能に遊嵌されている。このリング１７は、合成樹脂でなる円筒状部材１７Ａと、この円筒状部材１７Ａの外側に被せるように配置される２つの半割部材１７Ｂ，１７Ｂとを備えている。円筒状部材１７Ａの上下端には、他の部分よりも径方向外側に突出する上下一対のフランジ部１７ａ，１７ａを備えており、円筒状部材１７Ａに２つの半割部材１７Ｂ，１７Ｂを被せることによって、半割部材１７Ｂ，１７Ｂの上端に上側フランジ部１７ａの下端が当接し、かつ、半割部材１７Ｂ，１７Ｂの下端に下側フランジ部１７ａの上端が当接する。これによって、半割部材１７Ｂ，１７Ｂに対して円筒状部材１７Ａが上下方向に位置ずれすることを阻止している。
【００２２】
各半割部材１７Ｂは、円筒状部材１７Ａの外面に当て付けられる円弧部１７ｂと、円弧部１７ｂの前後両端から径方向外側に突出する板状の前後一対のフランジである前側フランジ１７ｃと後側フランジ１７ｃとを備えている。前側横フレーム１０の前側面には、前方に突出する金属製の前側ブラケット１８が溶接等により取り付けられ、第１後側横フレーム１３の後側面には、図６及び図８（ａ），（ｂ）に示すように、後方に突出する金属製の後側ブラケット１９が溶接等により取り付けられている。前側ブラケット１８に、前側リンク２０の一端がボルトとナットを介して枢支連結され、この前側リンク２０の他端が半割部材１７Ｂ，１７Ｂの前側フランジ１７ｃ，１７ｃに挟み込まれた状態でリベット２３により枢支連結されている。また、後側ブラケット１９に、後側リンク２１の一端がボルトとナットを介して枢支連結され、この後側リンク２１の他端が半割部材１７Ｂ，１７Ｂの後側フランジ１７ｃ，１７ｃに挟み込まれた状態でリベット２３により枢支連結されている。また、図４〜図６において、前側横フレーム１０の上下方向の厚みと第１後側横フレーム１３の上下方向の厚みとが同一に設定されている。
【００２３】
図６に示すように、中央フレーム２とリング１７との間に位置するように縦軸１６に弾性体としてのコイルスプリング２２が遊嵌されている。このコイルスプリング２２の一端が中央フレーム２に接続（連結）され、他端がリング１７の上端に接続（連結）されている。このコイルスプリング２２は、図６の状態では、リング１７を横脚５側へ向けて付勢するように作用する。
【００２４】
前記した、縦軸１６，１６と、リング１７，１７と、弾性体であるコイルスプリング２２，２２と、前側リンク２０，２０と、後側リンク２１，２１とから、開閉補助機構を構成している（図５参照）。この開閉補助機構により、前側フレーム３と後側フレーム４とを折り畳んだ閉状態と前側フレーム３と後側フレーム４とを広げた開状態との切り替えを補助する。
【００２５】
上記のように開閉補助機構を備えることによって、上端が中央フレーム２に固定され、下端が横脚５に固定された縦軸１６，１６に対してリング１７，１７をスライドさせる構成にしているので、軸ずれすることなくリング１７，１７がスムーズに縦軸１６，１６に対してスライドする。よって、折り畳みベッド１を、容易かつ確実に折り畳んだり、使用状態にすることができる。具体的には、図１の状態から取っ手７Ａを持って上方に持ち上げていくことによって、コイルスプリング２２，２２の付勢力でリング１７，１７が横脚５側へスライドするとともに前側外枠フレーム９及び後側外枠フレーム１２が水平状態（開状態）から垂直状態（閉状態）に切り替わり、折り畳みベッド１を折り畳むことができる。図９に示す折り畳まれた折り畳みベッド１を使用状態（開状態）にする際には、コイルスプリング２２，２２の付勢力に抗して、前側フレーム３の前端（図９では下端）と後側フレーム４の後端（図９では下端）とが互いに離れる側へ移動するように前側フレーム３及び後側フレーム４を揺動操作することによって、図１に示すように、前側フレーム３と後側フレーム４とが水平となる使用状態（開状態）にすることができる。また、開閉補助機構を前後方向中央部分に設けることによって、図１に示すように、前側フレーム３と床Ｆとの間及び後側フレーム４と床Ｆとの間に寝具や他物等を収容することができる収容空間を確保することができる。
【００２６】
前側フランジ（図９では右側のフランジ）１７ｃの前側への突出量と、前側横フレーム１０の上下方向の厚みと、前側リンク２０の幅とが同一（略同一でもよい）に設定されている。また、後側フランジ（図９では左側のフランジ）１７ｃの前側への突出量と、第１後側横フレーム１３の上下方向の厚みと、後側リンク２１の幅とが同一（略同一でもよい）に設定されている。ところで、折り畳みベッド１を広げた開状態、つまり水平姿勢の前側横フレーム１０又は第１後側横フレーム１３の上下方向の厚みが、折り畳んだ状態になると、図９に示すように、前側横フレーム１０又は第１後側横フレーム１３が垂直姿勢となって、前後方向の厚みとなる。この折り畳んだ状態のとき、前側横フレーム１０と前側リンク２０と前側フランジ１７ｃとが略同一幅で上下方向に並ぶことができ、しかも、第１後側横フレーム１３と後側リンク２１と後側フランジ１７ｃとが略同一幅で上下方向に並ぶことができる。よって、折り畳みベッド１をコンパクトに折り畳むことができる。
【００２７】
図１及び図４に示すように、前側外枠フレーム９の前端部の左右の両横側部に上下方向に沿う左右一対の前側支持脚２４，２４が取り付けられている。これら左右の前側支持脚２４，２４それぞれの下端には、前後方向に沿う板状部材２５が取り付けられ、その板状部材２５の下面の前後端部にキャスター２６を備えている。前側支持脚２４，２４の下端部の内側同士が連結部材２７により連結されている。また、前側支持脚２４，２４は、上端の左右幅方向の軸芯Ｘ３回りで揺動自在に取り付けられており、前側支持脚２４，２４が倒れ込んで水平姿勢となった折り畳み姿勢（図４参照）と前側外枠フレーム９に対して鉛直方向に沿った使用姿勢（支持姿勢、図１参照）とに姿勢変更することができるようになっている。
【００２８】
第２後側横フレーム１４の左右幅方向両端部に上下方向に沿う左右一対の後側支持脚２８，２８が取り付けられている。これら左右の後側支持脚２８，２８それぞれの下端には、前後方向に沿う板状部材２９が取り付けられ、その板状部材２９の下面の前後端部にキャスター３０を備えている。後側支持脚２８，２８の下端部の内側同士が連結部材３１により連結されている。また、前側支持脚２４，２４は、上端の左右幅方向の軸芯Ｘ４回りで揺動自在に取り付けられており、前側支持脚２４，２４が倒れ込んで水平姿勢となった折り畳み姿勢（図４参照）と前側外枠フレーム９に対して鉛直方向に沿った使用姿勢（支持姿勢、図１参照）とに姿勢変更することができるようになっている。
【００２９】
尚、本考案は、前記実施形態に限定されるものではなく、本考案の要旨を逸脱しない範囲で種々の変更が可能である。
【００３０】
前記実施形態では、弾性体としてコイルスプリング２２を用いたが、板バネや皿バネ等を用いてもよい。
【００３１】
また、前記実施形態では、２本の縦軸１６，１６を設けたが、縦軸を１本又は３本以上設けてもよい。
【００３２】
また、前記実施形態では、前側横フレーム１０の上下方向の厚みと、第１後側横フレーム１３の上下方向の厚みとを略同一に設定したが、異なる厚みに設定して実施してもよい。
【符号の説明】
【００３３】
１…折り畳みベッド、２…中央フレーム、３…前側フレーム、４…後側フレーム、５…横脚、６…脚部、７…縦脚、７Ａ…取っ手、８…ブラケット、９…前側外枠フレーム、１０…前側横フレーム、１１…前側前後フレーム、１２…後側外枠フレーム、１３…第１後側横フレーム、１４…第２後側横フレーム、１５…後側前後フレーム、１６…縦軸、１７…リング、１７Ａ…円筒状部材、１７Ｂ…半割部材、１７ａ…フランジ部、１７ｂ…円弧部、１７ｃ…フランジ、１８…前側ブラケット、１９…後側ブラケット、２０…前側リンク、２１…後側リンク、２２…コイルスプリング、２３…リベット、２４…前側支持脚、２５…板状部材、２６…キャスター、２７…連結部材、２８…後側支持脚、２９…板状部材、３０…キャスター、３１…連結部材、Ｆ…床、Ｘ１〜Ｘ４…軸芯
【図１】
0003196648.tif 000003
【図２】
0003196648.tif 000004
【図３】
0003196648.tif 000005
【図４】
0003196648.tif 000006
【図５】
0003196648.tif 000007
【図６】
0003196648.tif 000008
【図７】
0003196648.tif 000009
【図８】
0003196648.tif 000010
【図９】
0003196648.tif 000011